(57)【要約】  タバコパッケージ、すなわち整列したタバコ群（１１）のためのタバコパッケージであって、密封パッケージ（１２）として実施された内側パッケージ、及び、好ましくはヒンジリッドパックとしての外側パッケージ（２７）から成る。密封パッケージ（１２）内には、タバコ群（１１）をカップ形状に包囲する内側カラー（３３）がある。内側カラー（３３）の側壁の領域では、内側カラー（３３）の側壁を形成するための側方片（３７、３８）が、部分的にのみ重なり合うことにより空いた空間が形成されるように構成されており、この空いた空間には、密封パッケージ（２７）の密封継ぎ目部、すなわち側方継ぎ目部（１９）が収容される。内側カラーの開口部（４５）は、さらなる密封継ぎ目、すなわち、横方向に延びる接続継ぎ目（２１）を収容する。
2019518680.tif 000002
【特許請求の範囲】
【請求項１】
とりわけタバコ（１０）用のパッケージであって、該タバコ（１０）は整列したタバコ群（１１）としてフィルムパッケージ、とりわけフローパック内に入っており、該フィルムパッケージ、とりわけフローパックは、幅狭で直立した側壁に配置された、もしくは好ましくは側方の、閉鎖継ぎ目部もしくは密封継ぎ目部、すなわち側方継ぎ目部（１９）、及び／又は、とりわけ後壁（１５）の領域における少なくとも一つの横方向に延びる閉鎖継ぎ目部もしくは接続継ぎ目部（２１）を有しており、前記継ぎ目部（１９、２１）は好ましくは、対応関係にあるパッケージ壁に向かって折り曲げられたフィン状継ぎ目部として実施された、少なくとも部分的に複数層の構成になっており、前記フィルムパッケージ内には、前記タバコ群を少なくとも部分的に包囲する、好ましくは（薄い）ボール紙製の、支持機構もしくは保持機構、すなわち内側カラー（３３）が配置されている、パッケージにおいて、
前記フィルムパッケージもしくは密封パッケージ（１２）内に配置された保持機構もしくは支持機構、すなわち内側カラー（３３）が、密封パッケージ（１２）の材料厚み増大領域において、とりわけ（密封）継ぎ目部（１９、２１）の領域において、好ましくは全ての継ぎ目部（１９、２１）の領域において、リセス及び／又はへこみ部を有するとともに空いた空間（５１、５２）を形成し、これら空いた空間内に、対応関係にある継ぎ目部（１９、２１）が少なくとも部分的に収容されることを特徴とする、パッケージ。
【請求項２】
前記内側カラー（３３）が、好ましくは前記タバコ群（１１）の全体の寸法、すなわち前記タバコ（１０）の長さ全体にわたって延在する内側後壁（３５）を有しており、該内側後壁は、フィルム後壁（１５）に沿って延びる横方向の接続継ぎ目部（２１）の領域に、リセスもしくは打ち抜き部、すなわち開口部（４５）を有しており、前記開口部（４５）の寸法、とりわけ前記開口部の幅もしくは高さは、前記接続継ぎ目部（２１）全体が、前記開口部（４５）内に延在するように、好ましくは前記開口部（４５）により形成されて前記接続継ぎ目部（２１）より幅広の空いた空間（５１）内に延在するように選ばれることを特徴とする、請求項１に記載のパッケージ。
【請求項３】
前記内側カラー（３３）が、前記内側後壁（３５）につながる側方片（３７、３８）を有しており、これら側方片は前記密封パッケージ（１２）内でフィルム側壁（１６）の領域内に延在しており、前記開口部（４５）は、前記内側後壁（３５）につながる付属の側方片（３７）の領域へと開口部腕部（４６）を形成しながら少なくとも部分的に延在することを特徴とする、請求項１又は２に記載のパッケージ。
【請求項４】
前記内側カラー（３３）が、互いに重なり合う折り片を有しており、とりわけ、前記フィルム側壁（１６）の領域において互いに重なり合う側方片（３７、３８）を有しており、外側の折り片、とりわけ外側側方片（３８）は、少なくとも部分領域においてリセスもしくは切り詰め部を有しており、好ましくは長さもしくは幅全体にわたって幅狭に構成されていることで、前記外側の折り片もしくは側方片（３８）の隣に、前記側方継ぎ目部（１９）、とりわけ前記側方継ぎ目部のフィン状部（２０）による材料厚み増大部を収容するための空いた空間（５２）が生じることを特徴とする、請求項１又はさらなる請求項の一つに記載のパッケージ。
【請求項５】
前記フィルム側壁（１６）の領域において前記外側の側方片（３８）の隣に形成された、間隙状の前記空いた空間（５２）の幅が、０．１ｍｍから２ｍｍであること、好ましくは０．３ｍｍから１ｍｍであることを特徴とする、請求項４又はさらなる請求項の一つに記載のパッケージ。
【請求項６】
請求項１又はさらなる請求項の一つに記載のパッケージであって、
ａ）前記内側カラー（３３）が、前記タバコ群（１１）をカップ形状に包み込むものとして構成されており、好ましくは内側前壁（３４）、内側後壁（３５）、内側底壁（３６）及び、内側側壁を形成するための側方片（３７、３８）を有していること、
ｂ）外側に位置する、好ましくは前記内側前壁（３４）につながる側方片（３８）が、内側に位置する側方片（３７）より狭い幅で構成されており、好ましくは、前記内側の側方片（３７）の半分の幅より少し狭く、もしくは前記密封パッケージ（１２）のフィルム側壁（１６）の半分の幅より少し狭いこと、
ｃ）とりわけ前記側方継ぎ目部（１９）が複数層で構成されていること、好ましくはフィン部（２０）が形成されることによる、前記密封パッケージ（１２）の厚み増大部は、少なくともその部分領域が、前記外側の側方片（３８）により形成された引っ込み部、すなわち空いた空間（５２）内に延在していること、
という特徴を備えていることを特徴とする、パッケージ。
【請求項７】
前記内側カラー（３３）の前記側方片（３７、３８）が、内側側壁を形成するために、好ましくは接着により、とりわけ前記側方片（３７、３８）の長手方向に延在する複数の接着剤ポイント（４３）により、互いに接続されていることを特徴とする、請求項１又はさらなる請求項の一つに記載のパッケージ。
【請求項８】
前記外側の（幅狭）側方片（３８）の端部に、材料切除部、とりわけ傾斜部（４２）が設けられているために前記側方片（３８）は好ましくは台形のような形をしており、前記材料切除部とりわけ傾斜部（４２）は、とりわけ、フィルム側壁（１６）の内側に向かって畳み込まれた後の三角形の形状のまち（５４）の寸法と形状的に適合されていることを特徴とする、請求項１又はさらなる請求項の一つに記載のパッケージ。
【請求項９】
前記内側カラー（３３）の直立の折り角が輪郭づけされており、とりわけ面取りされており、面取りは、内側前壁（３４）及び／又は内側後壁（３５）の領域において斜めに方向づけられた帯状材料部（４９）から成るとともに、平行な折り線（４７、４８）により仕切られており、側方の折り線（４８）の領域の外に形成された側方片（３７、３８）は、狭い幅で互いに部分的に重なり合うため、前記内側カラー（３３）の半分の幅もしくは半分の奥行に相当する空いた空間（５２）が生じることを特徴とする、請求項１又はさらなる請求項の一つに記載のパッケージ。
【請求項１０】
とりわけ、密封パッケージ（１２）内に配置され、内側カラー（３３）により包囲されたタバコ群（１１）を持つタバコ（１０）のためのパッケージの製造方法であって、前記内側カラー（３３）はカップ形状に構成されていて、内側前壁（３４）、内側後壁（３５）、内側底壁（３６）、及び、内側側壁を形成するための側方片（３７、３８）を持つ、パッケージの製造法において、
ａ）前記内側カラー（３３）を作成する際に、とりわけ、部分的に折られた前記内側カラー（３３）内にタバコ群（１１）が挿入された後に、前記側方片（３７、３８）が接着剤により互いに接続されること、
ｂ）前記側方片（３７、３８）をつなげるために、接着剤、とりわけ接着剤ポイント（４３）が、前記内側の側方片（３７）の露出した外側に、前記内側の側方片（３７）を折った後かつ前記外側の側方片（３８）を折る前に、塗布されること、
ｃ）前記外側の側方片（３８）がその後好ましくは前記内側の側方片（３７）の、接着剤が塗布された領域に向かって下方に折り曲げられること、
という特徴を有することを特徴とする、パッケージ製造方法。
【請求項１１】
前記接着剤、とりわけ前記接着剤ポイント（４３）が、一方ではパッケージもしくは内側カラー（３３）と、他方では接着剤装置との間の相対運動があるために、好ましくは、前記接着剤もしくは前記接着剤ポイント（４３）を前記側方片（３７）に塗布するための、前記内側カラー（３３）の運動経路の両側にある据置型の接着剤ノズル（４４）により、サイクルに合わせて輸送されるパッケージもしくは内側カラー（３３）が静止している間に塗布されることを特徴とする、請求項１０に記載の方法。
【請求項１２】
前記フィルムパッケージもしくは密封パッケージ（１２）が、複数回使用可能な開閉タブ（２４）を持つ開閉補助具を有しており、該開閉タブ（２４）は、ヒンジリッドパックとして構成された外側パッケージ（２７）のフタ（２９）の内側に帯状操作部（２５）により固定されており、それにより前記開閉タブ（２４）は、前記フタ（２９）を操作することにより開いた状態へと移動可能であることを特徴とする、請求項１又はさらなる請求項の一つに記載のパッケージ。
【請求項１３】
ヒンジリッドパックとして構成された前記外側パッケージ（２７）がカラー（３０）を有しており、該カラーは、カラー側方片（５６）により、フィルム側壁（１６）の天側もしくは上部領域において前記密封パッケージ（１２）の側方継ぎ目部（１９）を覆うことを特徴とする、請求項１又はさらなる請求項の一つに記載のパッケージ。
【発明の詳細な説明】
【技術分野】
【０００１】
本発明はとりわけ、請求項１のおいて書きに記載された特徴を持つタバコのためのパッケージに関する。
【背景技術】
【０００２】
密封パッケージとして実施されているタバコパッケージは重要である。複数列、とりわけ３列に整列されたタバコから成るタバコ群は、好ましくはフローパック原理による密封フィルムにより包まれている。閉鎖継ぎ目部及び接続継ぎ目部は複数層の構成になっており、とりわけパッケージの（フィルム）壁に向かって折り曲げられたフィン状部を持つ、フィン状折り曲げ部の形になっている。
【０００３】
フィルムパッケージ内には保持機構もしくは支持機構が配置されており、これがタバコ群を少なくとも部分的に包囲している。この支持機構すなわち内側カラーは、単純にトレイとして構成することができる。しかしながら内側カラーはカップ状構造であることが有利である。カップ形状の内側カラーの壁、少なくともカラー前壁及びカラー後壁が、タバコ群の（およそ）全体の寸法もしくは長さにわたって延在していると、特別な耐久性が達成される。
【０００４】
内側カラーを持つフィルムパッケージもしくはフローパックの例は、従来技術として特許文献１ならびに特許文献２から知られている。既知の方法もしくは記載の方法で構成されるフィルムパッケージすなわち密封ブロックは、通常は、形状が安定した（ｆｏｒｍｓｔａｂｉｌ）外側パッケージの中、とりわけ外側パッケージとしての（従来の）ヒンジリッドパック（Ｋｌａｐｐｓｃｈａｃｈｔｅｌ）の中に収められる。
【先行技術文献】
【特許文献】
【０００５】
【特許文献１】国際公開第２０１１／００９５２０号
【特許文献２】国際公開第２０１１／１１０２７２号
【発明の概要】
【発明が解決しようとする課題】
【０００６】
フィルムパッケージもしくは密封ブロックは、とりわけ、一方では閉鎖継ぎ目部もしくは密封継ぎ目部の形態により、他方では複雑な内側カラーにより、上下もしくは隣り合って位置する材料層が重なり合うという特別な構成であるため、密封ブロックから成る内側パッケージが、標準的な寸法を持つ外側パッケージ、とりわけヒンジリッドパックにスムーズに挿入できないことがある。したがって本発明の課題は、そのようなタイプの複数の層もしくは多層のパッケージの個々の領域において、フィルムパッケージもしくは密封パッケージの外側寸法を制限するか、もしくはこれを、標準寸法の外側パッケージに合わせることである。
【課題を解決するための手段】
【０００７】
この課題を解決するために、本発明のパッケージの構成は、請求項１に記載の特徴を有している。
【０００８】
そのため本発明において、好ましくはカップ形状である内側カラーは、とりわけ密封するためにできた継ぎ目部が、折り曲げられたフィン状部を持つフィン状継ぎ目部の構造を有している場合、フィルムパッケージの、好ましくは密封するためにできた複数層の継ぎ目部の領域において、好ましくは内側カラーの形態により空間的に相殺されるように構成されている。
【０００９】
カップ形状の内側カラーはとりわけ、カラー後壁の領域、それもフィルムパッケージの、後ろ側の横方向の接続継ぎ目部の領域に、打ち抜きにより形成された横方向のリセスが設けられるように構成されている。とりわけ折り曲げられたフィン状部を持つフィン状継ぎ目部として構成された横方向継ぎ目部はこのリセスの領域にあり、このリセスはカラー後壁の幅全体にわたって延在し、好ましくはその端の腕部（Ｒａｎｄｓｃｈｅｎｋｅｌ）は側方片の領域内に達している。そのような継ぎ目が前側に、つまりフィルム前壁の領域に設けられている場合は、それに応じてリセスはカラー前壁に設けられる。
【００１０】
特に重要なのは、内側カラーの側壁が、フィルムパッケージの側方の閉鎖継ぎ目部による複数層構造を補償するように構成されていることである。とりわけ内側カラーの外側の側方片は、カラー側壁自身より狭い幅で構成されている。そのため、内側に位置するカラー側方片に対向して、内側カラーの外側において、側壁の高さにわたって延びるへこみ部もしくは段差部が生じる。このへこみ部もしくは段差部の領域に、フィルムパッケージの（折り曲げられた）フィン状継ぎ目部が位置する。
【００１１】
好ましくはカラー側方片は、接着剤により、とりわけ接着剤ポイントにより互いに接続されており、本発明ではこれら接着剤ポイントは、タバコ群と内側カラーから成るユニットを作成する際にカラー側方片に付けられ、好ましくは、内側に位置するカラー側方片の露出した外側面に、そのユニットの両側に配置された接着剤ノズルを用いて、内側カラー側方片の領域に好ましくは接着剤ポイントが一列に付けられ、出来上がった内側カラーにおいては、この内側カラー側方片は、幅の狭い外側のカラー側方片により覆われている。
【００１２】
本発明は、内側カラー、もしくは、内側カラーとタバコ群とから成るユニットの製造方法にも関する。
【００１３】
以下、パッケージ及び製造方法のさらなる詳細を、図を用いて詳しく説明する。
【図面の簡単な説明】
【００１４】
【図１】直方体形状のフィルムパッケージもしくは密封パッケージの斜視図である。
【図２】（外側の）ヒンジリッドパックを持つ完成パッケージ（Ｋｏｍｐｌｅｔｔｐａｃｋｕｎｇ）を開けた状態における斜視図である。
【図３】図２の切断平面ＩＩＩ―ＩＩＩの領域における図２のパッケージの垂直断面の拡大図である。
【図４】図２のパッケージの水平断面図であり、左半分は切断平面ＩＶ−ＩＶにおける水平断面、右半分は八角パッケージの水平断面である。
【図５】図１、図２のフィルムパッケージの内側カラー用の裁断物（Ｚｕｓｃｈｎｉｔｔ）を広げた図である。
【図６】八角ヒンジリッドパックについて、内側カラー用の裁断物を図５と同様に図示したものである。
【図７】部分的に折られた内側カラー用の裁断物が、タバコブロックを押し込むための状態にあるところの斜視図である。
【図８】タバコ群と内側カラーとから成るユニットのさらなる作成ステップにおける斜視図である。
【図９】タバコ群と内側カラーとから成るユニットの出来上がりの斜視図である。
【図１０】八角パッケージについての、図９と同様の図である。
【図１１】フィルムパッケージもしくは密封パッケージ製造における作成の流れを斜視図で図式的に表した図である。
【発明を実施するための形態】
【００１５】
図示された実施例はタバコパッケージに関するものであり、これらのタバコパッケージにおいてはタバコ群１０、つまり整列したタバコ群１１が、フィルムパッケージもしくは密封パッケージ１２内に収容されて密封ブロックを形成する。
【００１６】
図示された、互いに隣接する３列のタバコから成るタバコ群１１は、好ましくは耐湿性があり臭いが移らないフィルム裁断物により各面が囲まれている。フィルム裁断物は、密封パッケージ１２を作成する際に、連続したフィルムェブ１３から切り離されるとともにタバコ群１１を包み込み、その際好ましくは、ほぼ出来ている密封パッケージ１２が、チューブ状に形成されたフィルムェブ１３から切り離されるとともにフローパックが形成される。
【００１７】
直方体形状のフィルムパッケージもしくは密封パッケージ１２は、フィルム前壁１４、フィルム後壁１５、幅狭で直立したフィルム側壁１６、フィルム天壁（Ｓｔｉｒｎｗａｎｄ）１７、フィルム底壁１８を形成する。好ましくはヒートシールにより生じた接続継ぎ目部又は閉鎖継ぎ目部により、各面が密封されたパッケージ１２が得られる。好ましくは、互いに向かい合うフィルム側壁１６の領域内に、とりわけパッケージ１２の全体の高さにわたって延在する直立の側方継ぎ目部１９が配置される。これは、好ましくはフィン状継ぎ目部として構成されており、フィン状部２０はパッケージ壁、すなわちフィルム側壁１６に向かって折り曲げられて、フィルム側壁１６のおよそ半分の部分領域、好ましくは後ろ側の領域に接している。
【００１８】
面積が大きいパッケージ壁の領域内、ここではフィルム後壁１５の領域内には、さらなる密封継ぎ目部、つまり横方向継ぎ目部もしくは接続継ぎ目部２１がある。この接続継ぎ目部２１は、フィルム後壁１５のおよそ半分の高さに形成されており、その終端腕部（Ｅｎｄｓｃｈｅｎｋｅｌ）２２はフィルム側壁１６の領域内にまで延在している。接続継ぎ目部２１も好ましくはフィン状継ぎ目部として構成されており、そのフィン状部２３はとりわけ上に向かって、すなわちフィルム天壁１７の方向に向かって折り曲げられる。
【００１９】
好ましくは密封パッケージ１２のフィルム天壁１７の領域、及び、フィルム前壁１４の天側（ｓｔｉｒｎｓｅｉｔｉｇ）の領域に、開閉補助具（Ｏｅｆｆｎｕｎｇｓｈｉｌｆｅ）が設けられている。この開閉補助具には、タブ２４の開け閉めを行うために、通常の構成を持つ開閉タブ２４が設けられており、このタブ２４は接着により密封パッケージ１２に固定されており、開いた状態（図２）では、フィルムパッケージ１２の取出し開口部が露呈している。
【００２０】
密封パッケージ１２はブロック形状の内側パッケージとして、好ましくは標準的な外側パッケージ２７内、とりわけ、箱部２８、フタ２９、及びカラー３０を持つヒンジリッドパック内に配置されている。開閉タブ２４は、帯状操作部２５により手で開け閉めできるようになっている。ここで特別であることは、開閉タブ２４は、開閉タブ２４を操作するためにフタ２９に接続されていることである。帯状操作部２５はこの目的のためにフタ前壁３１の内側に、もしくはフタ前壁のフタ内側片３２に固定されている。カラーは、側方にカラー側方片５６を有しており、このカラー側方片５６は、カラー３０の配置により、フィルム側壁１６及び、それにより側方継ぎ目部１９の上部露出領域を覆っている。
【００２１】
密封パッケージ１２内には、タバコ群１１のための保持機構もしくは支持機構があり、これは好ましくは薄いボール紙でできており、以下、内側カラー３３と呼ぶ。内側カラーの役割はとりわけ、タバコ群１１の並び方（Ｆｏｒｍａｔｉｏｎ）を保持しタバコ１０を機械的及び／又は熱的な負荷から保護することである。内側カラー３３は好ましくは一体の裁断物（Ｚｕｓｃｈｎｉｔｔ）（図５、図６）から成っており、その裁断物は内側前壁３４、内側後壁３５、内側底壁３６、ならびに、内側の側方片３７及び外側の側方片３８から形成される内側側壁を有している。側方片３７、３８は互いが上下に重なるよう折り曲げられている、もしくは、部分的に隣接して位置している。ここでは角片３９は、折り線を介して（内側の）側方片３７に接続しており、出来上がった内側カラー３３においては、内側底壁３６の内側に向かって折られている（図７）。
【００２２】
例えば図５、図６に図示された裁断物を折って得られた内側カラー３３は、タバコ群１１をカップ形状に包み込むものを形成する。内側カラー３３の寸法は好ましくは、前壁３４、後壁３５、及び側壁３７、３８が、タバコ群１１、もしくは、タバコ群１１に対応して位置するタバコ１０のフィルター端と、大体において面一になるようになっている。内側前壁３４の天側にはタバコ１０の取出しを容易にするリセス（Ａｕｓｎｅｈｍｕｎｇ）４０が設けられている。タバコ群１１と内側カラー３３とは、さらなる包装プロセスのためのユニット４１を形成する。
【００２３】
ユニット４１の作成においては、その目的に合わせて、まず、内側カラー３３の裁断物を、角度をつけたもしくはＬ字状の中間折り状態にする（図７）。内側後壁３５は好ましくは水平平面内にある。内側底壁３６と内側前壁３４とから成る腕部（Ｓｃｈｅｎｋｅｌ）が直立するように立てられている。同様に、ここでは内側前壁３４に接続している内側の側方片３７が、直立するように立てられており、また、角片３９が内側底壁３６に接する状態になるように角片３９が折られている。同様に、内側後壁３５に接続し、内側に位置する側方片３７も、直立した、パッケージのような状態にされている。
【００２４】
図７に図示された中間折り状態は同時に、タバコ群１１を挿入するための状態であることが好ましい。タバコ群１１はそれぞれの並び方のまま、開いている側から、タバコ端部が底壁３６もしくは角片３９に当たるまで、部分的に折られた内側カラー３３内に挿入される。次に、内側前壁３４を側方片３８とともにタバコ群１１の上面に向かって折りたたむ。最後に、側方を向いた外側の側方片３８を折って、これが内側の側方片３７に載るようにされる（図９）。
【００２５】
好ましくは傾斜部４２を持つ端部に設けられた（外側の）側方片３８は、接着により、好ましくは一列に配置された複数の接着剤ポイント４３により、内側の側方片３７に接続される。ここでは互いに離間して配置された４つの接着剤ポイント４３が、側方片３７の自由縁部の隣に配置されている。好ましくはこれらの接着剤ポイント４３は、タバコ群１１の挿入後、及び、内側前壁３４を折った後、つまり図８の状態において、好ましくは内側カラー３３の輸送運動中に次々と、接着剤ノズル４４により側方片３７の露出した外側面の正しい位置に塗布される。代替的に、側方片３７、３８は差し込み接続（Ｓｔｅｃｋｖｅｒｂｉｎｄｕｎｇ）により、つまり場合によっては接着剤を使用せずに互いにつなげることができる。適したコーティングがあれば、ヒートシールによる接続も行える。
【００２６】
内側カラー３３のための裁断物、もしくは内側カラー３３自身の構成においては、とりわけフィルムパッケージもしくは密封パッケージ１２の材料厚み増大部の領域において、リセス、打ち抜き部（Ａｕｓｓｔａｎｚｕｎｇｅｎ）、へこみ部（Ｖｅｒｔｉｅｆｕｎｇｅｎ）、スタンピング（Ｐｒａｅｇｕｎｇｅｎ）又は材料の段差（Ｍａｔｅｒｉａｌｖｅｒｓｔａｚ）による相殺が行われ、その目的は、材料厚み増大部、とりわけフィルムパッケージもしくは密封パッケージ１２の複数層構造が、パッケージの外寸に与える影響を回避することである。とりわけ、密封パッケージが内側パッケージとして、好ましくはヒンジリッドパックとして構成された外側パッケージ２７に適切に収容されるように、密封パッケージ１２の外寸を維持するためである。
【００２７】
複数層の領域による厚み増大部は、フィルムの複数層構成があると厚くなるものであり、特に（密封）継ぎ目部１９、２１により密封パッケージ１２上に生じる。密封継ぎ目部、とりわけフィン状継ぎ目部として実施された密封継ぎ目部の構造により、折り曲げられたフィン状部の領域において、フィルムパッケージの壁も含めて少なくとも３層の構造が生じる。側方継ぎ目部１９と横方向の接続継ぎ目部２１とが交差する領域においては、とりわけ終端腕部２２の領域において、層の数がさらに増える（図４）。
【００２８】
この目的のために内側カラー３３には、目的に合うように配されたリセス又はへこみ部が設けられている。接続継ぎ目部２１の領域において内側カラー３３には打ち抜き部もしくは開口部４５が設けられており、これは、この実施例においては、接続継ぎ目部２１の位置のために内側後壁３５の領域において延在している。好ましくは長方形である開口部４５は内側後壁３５全体の幅にわたって延在し、開口部の（短い）腕部４６は隣接する側方片３７の領域内に達している。
【００２９】
開口部４５は、折り曲げられた接続継ぎ目部２１（図３）による材料厚み増大部を（部分的に）相殺するものである。継ぎ目部２１、もしくは継ぎ目部２１により形成されたフィン状部２３は完全に開口部４５内にあり、好ましくは開口部４５の幅もしくは高さは、フィン状部２３のそれより大きく構成されているため、フィン状部２３の上下に空いた空間５１が生じ、フィン状部２３の領域において材料層がより良好に収容される。
【００３０】
その他の材料積み重なりは、折り片（Ｆａｌｔｌａｐｐｅｎ）の寸法を縮小することにより（部分的に）補償される。側方継ぎ目部１９もしくは側方継ぎ目部１９のフィン状部２０は、側方片３７、３８により形成された内側カラー３３の側壁の半分の領域、好ましくは後ろ側の半分の領域内において延在している。外側の側方片３８の幅を縮小することにより、内側カラー３３の高さにわたって延在する、内向きの段差もしくは相応の空いた空間５２が生じ、ここに、側方継ぎ目部１９もしくは側方継ぎ目部１９のフィン状部２０が少なくとも部分的に収容される。縮小された側方片３８はそれぞれの側壁のほぼ中央まで延在するため、内側に位置する側方片３７のおよそ半分の寸法が露出し、ここにフィン状部２０が載る。外側の側方片３８の寸法は目的に合うように、外側の側方片３８が折られた状態（図１内の破線）で空いた空間５２として機能する間隙を形成するようになっている。この間隙の寸法もしくは幅は、フィン状部２０の折り縁（Ｆａｌｔｋａｎｔｅ）もしくは折り端（Ｆａｌｔｒａｎｄ）と、側方片３８の自由縁部との間の距離として０．１ｍｍから２ｍｍ、好ましくは０．３ｍｍから１ｍｍである。
【００３１】
互いに上下に重なる材料層の積み重なりが特にまずい状況になるのは、とりわけ終端腕部２２により、接続継ぎ目部２１と側方継ぎ目部１９とが出会う領域である。この層構造は図４に図示されている。これらの層は、フィン状部２０が位置するので、開口部腕部４６内へと延在する状態で開口部４５の領域にある。
【００３２】
図６には、直立のパッケージのかどが輪郭づけされた、つまりここでは面取りされて八角構造となっている内側カラー３３の裁断物の例が図示されている。側方片３８、３９はそれぞれ、２本の平行な折り線４７、４８により、向かい側にある内側前壁３４もしくは内側後壁３５から区切られている。折り線４７、４８は、スタンピング（Ｐｒａｅｇｕｎｇ）及び／又は部分打ち抜き（Ｔｅｉｌｓｔａｎｚｕｎｇ）（穿孔線（Ｐｅｒｆｏｒａｔｉｏｎｓｌｉｎｉｅ））により作ることができ、これは裁断物のその他の折り線も同様である。平行な折り線４７、４８は、折り加工が完了した（ｆｅｒｔｉｇ  ｇｅｆａｌｔｅｔ）内側カラー３３もしくはユニット４１において、面取りされたパッケージのかどを形成する帯状材料部（Ｍａｔｅｒｉａｌｓｔｒｅｉｆｅｎ）４９の境界をなしている（図１０）。
【００３３】
本実施例において、リセスもしくは開口部４５は、穿孔線４７、４８を通って、もしくは帯状材料部４９を通って、開口部腕部４６が横方向の側方片３７の領域内へと延在している。外側の側方片３８も、面取りされたかどを持つ内側カラー３３の輪郭に適合している。横方向の側方片３８の幅は、本実施形態においても、フィン状部２０のための場所が生じるように選択されている。フィン状部２０を配置するために、内側の側方片３７の面積のおよそ半分、すなわち折り線４７までは場所を空けておく。
【００３４】
外側の側方片３８の輪郭もしくは形状は、さらなる層の積み重なり（Ｌａｇｅｎｈａｅｕｆｕｎｇ）において効果を発揮する。フィルム側壁１６の領域においてフィルムを折ることにより、端部（天側、底側）に３角形状のまち５４が生まれ、これはここでは内側に向かって、すなわちここでは内側カラー３３とフィルム側壁１６との間の領域に向かって折られている（図１）。端部側の切り詰め部もしくは傾斜部４２により、すなわち、その寸法及び形状により、まち５４が外側の側方片３８と部分的に積み重なることがないようにされる。一方では側方片３８の縁、他方ではまち５４の縁は互いに隣り合って並んでいる。
【００３５】
上述のやりかた、又は、同様のやりかたで構成されたユニット４１は、密封パッケージ１２を形成するためにフィルムで包み込まれる。ここでは、開閉補助具付の連続フィルムェブ１３が、互いに所定の間隔で横方向に輸送されるユニット４１に上からかぶせられる。適当な寸法を持つフィルムェブ１３はユニット４１の周りを囲むように折り曲げられ、ユニット４１を包み込むチューブ状フィルムを形成する。チューブ状フィルムの下面には、連続する密封継ぎ目部、すなわち接続継ぎ目部２１が形成される。次に、密封及び分離ステーション５０において、然るべき密封装置及び分離装置により、しかも横方向の密封継ぎ目部すなわち側方継ぎ目部１９及び分離切断により、密封パッケージ１２が製造される。このステーション５０の領域にはやはり横方向に移動可能な折り装置、すなわち折りフォーク（Ｆａｌｔｇａｂｅｌ）５５が、折りフォーク５５の横方向運動により（三角形の）まち５４を畳み込むために設けられており、この折りフォークは、一回の折りサイクルにおいて、すなわち一回の運動区分の間に、前後に続く２つの密封パッケージ１２のまち５４を折る。
【００３６】
そして完成した密封パッケージ１２は包装装置に送られて、密封パッケージ１２と外側パッケージ２７とが組み合わされる。
【符号の説明】
【００３７】
１０  タバコ
１１  タバコ群
１２  密封パッケージ
１３  フィルムェブ
１４  フィルム前壁
１５  フィルム後壁
１６  フィルム側壁
１７  フィルム天壁
１８  フィルム底壁
１９  側方継ぎ目部
２０  フィン状部
２１  接続継ぎ目部
２２  終端腕部
２３  フィン状部
２４  開閉タブ
２５  帯状操作部  
２６  取り出し開口部
２７  外側パッケージ
２８  箱部
２９  フタ
３０  カラー
３１  フタ前壁
３２  フタ内側片
３３  内側カラー
３４  内側前壁
３５  内側後壁
３６  内側底壁  
３７  内側の側方片
３８  外側の側方片
３９  角片
４０  リセス
４１  ユニット
４２  傾斜部
４３  接着剤ポイント
４４  接着剤ノズル
４５  開口部  
４６  開口部腕部
４７  折り線
４８  折り線
４９  帯状材料部
５０  密封及び分離ステーション
５１  空いた空間
５２  空いた空間
５４  まち
５５  折りフォーク
５６  カラー側方片
【図１】
2019518680.tif 000003
【図２】
2019518680.tif 000004
【図３】
2019518680.tif 000005
【図４】
2019518680.tif 000006
【図５】
2019518680.tif 000007
【図６】
2019518680.tif 000008
【図７】
2019518680.tif 000009
【図８】
2019518680.tif 000010
【図９】
2019518680.tif 000011
【図１０】
2019518680.tif 000012
【図１１】
2019518680.tif 000013
【国際調査報告】
2019518680.tif 000014
2019518680.tif 000015
2019518680.tif 000016
2019518680.tif 000017
2019518680.tif 000018
2019518680.tif 000019